(57)【要約】【課題】カードが万一盗難にあったり、落して拾われて使用されても、第三者に見破られる確率が従来のカードに比し著しく少なくする。【解決手段】現金自動預払機又は現金自動支払機を介して預金者等が現金を払出す払出し装置として、本人確認のために使用している複数の桁数の数字からなる暗証番号に変えて、無数の言語の中から所定の言語を選択し、且前記所定の暗証言語として金融機関に届出し、且前記金融機関が記憶手段によって記憶せしめた本人確認カードと、前記本人確認カードと連動する払出しキャッシュカードとを併用して現金を払出す。【選択図】    図４
2006343788.tif 000002
【特許請求の範囲】
【請求項１】
キャッシュカード、クレジットカード、パスワードあるいはＩＤカード等を介して現金の払出し、あるいはコンピューターの作動あるいは各種公的証明書類発行等の際に本人確認のために使用している複数桁数の数字からなる暗証番号に変えて、無数の言語の中から所定の言語を選択し、且前記所定の暗証言語とし、前記所定の暗証言語をメールを打つ要領で数列として使用することを特徴とするカード等の本人確認情報システム。
【請求項２】
現金自動預払機又は現金自動支払機を介して預金者等が現金を払出す払出し装置として、本人確認のために使用している複数の桁数の数字からなる暗証番号に変えて、無数の言語の中から所定の言語を選択し、且前記所定の暗証言語として金融機関に届出し、且前記金融機関が記憶手段によって記憶せしめた本人確認カードと、前記本人確認カードと連動する払出しキャッシュカードとを併用して現金を払出すことを特徴とする現金払出し装置。
【請求項３】
現金自動預払機又は現金自動支払機より現金を払出す手法として、預金者らが本人確認のために使用している複数の桁数の数字からなる暗証番号に変えて、無数の言語の中から選択し、且所定の暗証言語として所定の金融機関に届出し、且前記金融機関が記憶手段によって記憶せしめ、前記届出をした預金者らに本人確認カードとして発行し、前記本人確認カードは既に発行済みの払出しキャッシュカードと連動させるか、あるいは前記本人確認カードと連動するキャッシュカードを新規に発行せしめると共に、前記現金自動預払機又は現金自動支払機のカード挿入口に、前記本人確認カードを挿入し、前記金融機関に届出済みの暗証言語を数列で打込み、前記金融機関に届出済みの暗証言語を前記現金自動預払機又は現金自動支払機の照合装置を介して照合し、不一致のときは画面に不一致表示がなされて前記本人確認カードが返却され、前記照合が合致すると画面にＯＫ表示がなされて前記本人確認カードが返却されると共に、継続して前記カード挿入口に払出しキャッシュカードを挿入し、前記払出しキャッシュカードと本人確認カードが不一致のときは前記払出しキャッシュカードが返却され、合致すると所定の払出し金額を前記現金自動預払機又は現金自動支払機に打込み現金の払出しを受け、払出し後は前記払出しキャッシュカードを前記カード挿入口より返却せしめることを特徴とする現金払出し方法。
【請求項４】
現金自動預払機又は現金自動支払機を介して預金者等が現金を払出す払出し装置として、本人確認のために使用している複数の桁数の数字からなる暗証番号に変えて、無数の言語の中から所定の言語を選択し、且前記所定の暗証言語として所定の金融機関に届出し、且前記金融機関が記憶手段によって記憶せしめた複数枚の本人確認カードと、前記複数枚の本人確認カードと連動する払出しキャッシュカードとを併用して現金を払出すことを特徴とする現金払出し装置。
【請求項５】
現金自動預払機又は現金自動支払機より現金を払出す手法として、預金者らが本人確認のために使用している複数の桁数の数字からなる暗証番号に変えて、無数の言語の中から選択し、且所定の暗証言語として所定の金融機関に届出し、且前記金融機関が記憶手段によって記憶せしめ、前記届出をした預金者らに本人確認カードとして１枚及び複数枚発行し、前記１枚及び複数枚の本人確認カードは既に発行済みの払出しキャッシュカードと連動させるか、あるいは前記本人確認カードと連動するキャッシュカードを新規に発行せしめると共に、前記現金自動預払機又は現金自動支払機のカード挿入口に、前記複数枚の本人確認カードを一枚宛挿入し、前記金融機関に届出済みの暗証言語を数列で打込み、前記金融機関に届出済みの暗証言語を前記現金自動預払機又は現金自動支払機の照合装置を介して照合し、不一致のときは画面に不一致表示がなされて前記本人確認カードが返却され、前記照合が合致すると画面にＯＫ表示がなされて前記本人確認カードが一枚宛返却されると共に、継続して前記カード挿入口に払出しキャッシュカードを挿入し、前記払出しキャッシュカードと本人確認カードが不一致のときは前記キャッシュカードが返却され、合致すると所定の払出し金額を前記現金自動預払機又は現金自動支払機に打込み現金の払出しを受け、払出し後は前記払出しキャッシュカードを前記カード挿入口より返却せしめることを特徴とする現金払出し方法。
【請求項６】
前記暗証言語を、片仮名文字もしくは平仮名もしくは漢字とし、それを数列として打込むことを特徴とする請求項１記載のカード等の本人確認情報システム。
【請求項７】
前記暗証言語を、片仮名文字もしくは平仮名もしくは漢字とし、それを数列として打込むことを特徴とする請求項２又は請求項４記載の現金払出し装置。
【請求項８】
前記暗証言語を、片仮名文字もしくは平仮名もしくは漢字とし、それを数列として打込むことを特徴とする請求項３又は請求項５記載の現金払出し方法。
【請求項９】
前記暗証言語を、数字にて打込むことを特徴とする請求項１又は請求項６記載のカード等の本人確認情報システム。
【請求項１０】
前記暗証言語を、数字にて打込むことを特徴とする請求項２又は請求項４又は請求項７記載の現金払出し装置。
【請求項１１】
前記暗証言語を、数字にて打込むことを特徴とする請求項３又は請求項５又は請求項８記載の現金払出し方法。
【請求項１２】
前記暗証言語をアナグラム化し、前記本人確認カードに記憶せしめたことを特徴とする請求項１又は請求項６又は請求項９記載のカード等の本人確認情報システム。
【請求項１３】
前記暗証言語をアナグラム化し、前記本人確認カードに記憶せしめたことを特徴とする請求項２又は請求項４又は請求項７又は請求項１０記載の現金払出し装置。
【請求項１４】
前記暗証言語をアナグラム化し、前記本人確認カードに記憶せしめたことを特徴とする請求項３又は請求項５又は請求項８又は請求項１１記載の現金払出し方法。
【発明の詳細な説明】
【技術分野】
【０００１】
本発明は、カード等の本人確認情報システム及び現金自動預払機、現金自動支払機の現金払出し装置及び現金払出し方法の技術分野に関するものである。
【背景技術】
【０００２】
最近クレジットカードで買い物を購入するのに、サインではなく、数字の入力が求められている。
【０００３】
さらに最近公的証明書の発行時において、自動交付機にかけて発行する自治体も出てきており、この際にも暗証番号が必要とされている。
【０００４】
また最近のコンピューターにおいては、パスワードあるいはＩＤカード等を介して本人確認のために、暗証番号が使用されている。
【０００５】
さらに現金を現金自動預払機（以下ＡＴＭ機と称する。）もしくは現金自動支払機（以下ＣＤ機と称する。）から暗証番号を付したカードを使用して現金を自動的に払出すものとして、特開平５−７３７５１公開特許公報が開示されている。
【０００６】
前記公開特許公報の自動取引装置において使用する出金専用カードは、暗証番号を入力手段を介して入力するものである。さらに現在ＡＴＭ機又はＣＤ機において一般的に使用されている前記出金専用カードの外に、預金と払出しが一体となったタイプのカードが使用されている。しかし前記カードは、夫々現金を払出すのに、タッチパネル等を介して暗証番号（４桁の数字）を入力しないと現金の払出しができない機構となっている。
【０００７】
さらに前記カードに付される暗証番号（４桁）は、本人の生年月日や電話番号もしくは住居表示番号等が使用されるケースが多かった。
【０００８】
従って、万一前記カードが盗難にあったり、あるいは落して拾われたりすると、前記カードの暗証番号が直ぐに見破られてしまい、現金が払出される被害が多々あった。
【特許文献１】特開平５−７３７５１公開特許公報
【発明の開示】
【発明が解決しようとする課題】
【０００９】
従来カード等の本人確認情報システムとして、複数の数字を暗証番号として使用しているが、このような数字は本人の住所の番地や生年月日あるいは電話番号等が主として使用されているケースが多くあり、これは忘れにくくする現象で、そのため暗証番号が盗人や拾った者その他ハッカー等により容易に見破られてしまい悪用される被害が発生していた。
【００１０】
しかるに本発明のカード等の本人確認情報システムは、暗証番号として従来の数字に変えて無数の言語の中から、本人が自由に選択して所定の暗証言語として決定し、暗証言語として使用し、前記暗証言語を変換し数列化することによって、他人による暗証言語の見破りを未然に防止したものである。
【００１１】
さらに本発明の現金払出し装置及び払出し方法は、現金を払出すのに、２枚のカードを使用することを条件に、一枚のカードを本人確認カードと称し、２枚目のカードは既に発行済みのキャッシュカードとして使用し、前記本人確認カードは複数言語からなる言語を、自分である本人確認をするための暗証言語とし、この言語を金融機関に届出をしておき、現金の払出しのため打込んだ前記暗証言語と前記の届出済みの暗証言語とが合致しないと現金を払出すことができないようにして、万一カードが盗難にあったり、あるいは落して拾われても、他人によって容易に暗号言語が見破られて現金が払出されるのを防止した。
【００１２】
また本発明の現金払出し装置及び払出し方法は、現金を払出すのに、前記と異なり、２枚以上の本人確認カードとキャッシュカード（一枚）とを使用することによって、万一カードが盗難にあったり、あるいは落して拾われても、他人によって容易に暗証言語が見破られて現金が払出される危険度をより一層著減せしめた。
【００１３】
また本発明は、従来のキャッシュカードにおいて使用されてきた暗証番号（４桁の数字）に変えて、言語（例えば、はなさいた）を暗号として使用することによって、預金者らの暗号の選択の幅を著しく拡大せしめ、しかも好みに応じた言語を数列化して使用できるようにした。
【００１４】
さらに本発明の暗号化した暗証言語は、預金者らの好みに応じて適宜変更できるようにして生活面に潤いを持たせた。
【００１５】
また本発明の前記暗号化した暗証言語は、無数あっても記憶しやすく、且打込み方法をメールを打つ様な方法で、現在社会に適応する方法とした。
【課題を解決するための手段】
【００１６】
請求項1記載の発明は、キャッシュカード、クレジットカード、パスワードあるいはＩＤカード等を介して現金の払出し、あるいはコンピューターの作動あるいは各種公的証明書類発行等の際に本人確認のために使用している複数桁数の数字からなる暗証番号に変えて、無数の言語の中から所定の言語を選択し、且前記所定の暗証言語とし、前記所定の暗証言語をメールを打つ要領で数列として使用することを特徴とするカード等の本人確認情報システムである。
【００１７】
請求項２記載の発明は、現金自動預払機又は現金自動支払機を介して預金者等が現金を払出す払出し装置として、本人確認のために使用している複数の桁数の数字からなる暗証番号に変えて、無数の言語の中から所定の言語を選択し、且前記所定の暗証言語として所定の金融機関に届出し、且前記金融機関が記憶手段によって記憶せしめた本人確認カードと、前記本人確認カードと連動する払出しキャッシュカードとを併用して現金を払出すことを特徴とする現金払出し装置である。
【００１８】
請求項３記載の発明は、現金自動預払機又は現金自動支払機より現金を払出す手法として、預金者らが本人確認のために使用している複数の桁数の数字からなる暗証番号に変えて、無数の言語の中から選択し、且所定の暗証言語として所定の金融機関に届出し、且前記金融機関が記憶手段によって記憶せしめ、前記届出をした預金者らに本人確認カードとして発行し、前記本人確認カードは既に発行済みの払出しキャッシュカードと連動させるか、あるいは前記本人確認カードと連動するキャッシュカードを新規に発行せしめると共に、前記現金自動預払機又は現金自動支払機のカード挿入口に、前記本人確認カードを挿入し、前記金融機関に届出済みの暗証言語を数列で打込み、前記金融機関に届出済みの暗証言語を前記現金自動預払機又は現金自動支払機の照合装置を介して照合し、不一致のときは画面に不一致表示がなされて前記本人確認カードが返却され、前記照合が合致すると画面にＯＫ表示がなされて前記本人確認カードが返却されると共に、継続して前記カード挿入口に払出しキャッシュカードを挿入し、前記払出しキャッシュカードと本人確認カードが不一致のときは前記払出しキャッシュカードが返却され、合致すると所定の払出し金額を前記現金自動預払機又は現金自動支払機に打込み現金の払出しを受け、払出し後は前記払出しキャッシュカードを前記カード挿入口より返却せしめることを特徴とする現金払出し方法である。
【００１９】
請求項４記載の発明は、現金自動預払機又は現金自動支払機を介して預金者等が現金を払出す払出し装置として、本人確認のために使用している複数の桁数の数字からなる暗証番号に変えて、無数の言語の中から所定の言語を選択し、且前記所定の暗証言語として所定の金融機関に届出し、且前記金融機関が記憶手段によって記憶せしめた複数枚の本人確認カードと、前記複数枚の本人確認カードと連動する払出しキャッシュカードとを併用して現金を払出すことを特徴とする現金払出し装置である。
【００２０】
請求項５記載の発明は、現金自動預払機又は現金自動支払機より現金を払出す手法として、預金者らが本人確認のために使用している複数の桁数の数字からなる暗証番号に変えて、無数の言語の中から選択した所定の言語を暗証言語として所定の金融機関に届出し、且前記金融機関が記憶手段によって記憶せしめ、前記届出をした預金者らに本人確認カードとして１枚及び複数枚発行し、前記１枚及び複数枚の本人確認カードは既に発行済みの払出しキャッシュカードと連動させるか、あるいは前記本人確認カードと連動するキャッシュカードを新規に発行せしめると共に、前記現金自動預払機又は現金自動支払機のカード挿入口に、前記複数枚の本人確認カードを一枚宛挿入し、前記金融機関に届出済みの暗証言語を数列で打込み、前記金融機関に届出済みの暗証言語を前記現金自動預払機又は現金自動支払機の照合装置を介して照合し、不一致のときは画面に不一致表示がなされて前記本人確認カードが返却され、前記照合が合致すると画面にＯＫ表示がなされて前記本人確認カードが一枚宛返却されると共に、継続して前記カード挿入口に払出しキャッシュカードを挿入し、前記払出しキャッシュカードと本人確認カードが不一致のときは前記キャッシュカードが返却され、合致すると所定の払出し金額を前記現金自動預払機又は現金自動支払機に打込み現金の払出しを受け、払出し後は前記払出しキャッシュカードを前記カード挿入口より返却せしめることを特徴とする現金払出し方法である。
【００２１】
請求項６、７、８記載の発明は、前記暗証言語を、片仮名文字もしくは平仮名もしくは漢字とすることを特徴とするカード等の本人確認情報システム・現金払出し装置及び払出し方法である。
【００２２】
請求項９、１０、１１記載の発明は、前記暗証言語を、数字にて打込むことを特徴とするカード等の本人確認情報システム・現金払出し装置及び払出し方法である。
【００２３】
請求項１２、１３、１４記載の発明は、前記暗証言語をアナグラム化し、前記本人確認カードに記憶せしめたことを特徴とするカード等の本人確認情報システム・現金払出し装置及び払出し方法である。
【発明の効果】
【００２４】
請求項１記載のカード等の本人確認システムは、キャッシュカード、クレジットカード、パスワードあるいはＩＤカード等を介して現金の払出し、あるいはコンピューターの作動あるいは各種公的証明書類発行等の際に本人確認のために使用している複数桁数の数字からなる暗証番号に変えて、無数の言語の中から所定の言語を選択し、且前記所定の暗証言語とし、前記所定の言語をメールを打つ要領で数列として使用するので、従来一般的に使用されてきた身近な数字である本人の住所の番地、生年月日、電話番号等の暗証番号に変えて、暗証言語が容易に解読できないように無数のランダムな数列の中に、無数の言語の中から暗証言語として選んで変換した数字を隠したカードとすることで、ハッカー等の侵入を未然に防止した。
【００２５】
さらに本発明の情報システムは、無数の言語を組合せてなる言語を暗証言語としているので、カード等の使用時にメール（パソコン、携帯電話等）を打つ感覚で使用し、抵抗感がない利点を有している。
【００２６】
請求項２記載の現金払出し装置は、現金自動預払機又は現金自動支払機を介して預金者等が現金を払出す払出し装置として、本人確認のために使用している複数の桁数の数字からなる暗証番号に変えて、無数の言語の中から所定の言語を選択し、且前記所定の暗証言語として所定の金融機関に届出し、且前記金融機関が記憶手段によって記憶せしめた本人確認カードと、前記本人確認カードと連動する払出しキャッシュカードとを併用して現金を払出すので、前記カードが万一盗難にあったり、あるいは落して拾われて使用されても、第三者に見破られる確率が従来のカードに比し著しく少なくできる利点がある。
【００２７】
請求項３記載の現金払出し方法は、現金自動預払機又は現金自動支払機より現金を払出す手法として、預金者らが本人確認のために使用している複数の桁数の数字からなる暗証番号に変えて、無数の言語の中から選択し、且所定の暗証言語として所定の金融機関に届出し、且前記金融機関が記憶手段によって記憶せしめ、前記届出をした預金者らに本人確認カードとして発行し、前記本人確認カードは既に発行済みの払出しキャッシュカードと連動させるか、あるいは前記本人確認カードと連動するキャッシュカードを新規に発行せしめると共に、前記現金自動預払機又は現金自動支払機のカード挿入口に、前記本人確認カードを挿入し、前記金融機関に届出済みの暗証言語を数列で打込み、前記金融機関に届出済みの暗証言語を前記現金自動預払機又は現金自動支払機の照合装置を介して照合し、不一致のときは画面に不一致表示がなされて前記本人確認カードが返却され、前記照合が合致すると画面にＯＫ表示がなされ前記本人確認カードが返却されると共に、継続して前記カード挿入口に払出しキャッシュカードを挿入し、前記払出しキャッシュカードと本人確認カードが不一致のときは前記払出しキャッシュカードが返却され、合致すると所定の払出し金額を前記現金自動預払機又は現金自動支払機に打込み現金の払出しを受け、払出し後は前記払出しキャッシュカードを前記カード挿入口より返却せしめるので、他人による払出しを未然に防止し、セキュリティが著しく高い利点がある。
【００２８】
請求項４記載の現金払出し装置は、現金自動預払機又は現金自動支払機を介して預金者等が現金を払出す払出し装置として、本人確認のために使用している複数の桁数の数字からなる暗証番号に変えて、無数の言語の中から所定の言語を選択し、且前記所定の暗証言語として所定の金融機関に届出し、且前記金融機関が記憶手段によって記憶せしめた複数枚の本人確認カードと、前記複数枚の本人確認カードと連動する払出しキャッシュカードとを併用して現金を払出す現金払出し装置なので、前記カードが万一盗難にあったり、あるいは落して拾われ使用されても、第三者に見破られる確率が従来のカードに比し著しく少なくできる利点がある。
【００２９】
請求項５記載の現金払出し方法は、現金自動預払機又は現金自動支払機より現金を払出す手法として、預金者らが本人確認のために使用している複数の桁数の数字からなる暗証番号に変えて、無数の言語の中から選択し、且所定の暗証言語として所定の金融機関に届出し、且前記金融機関が記憶手段によって記憶せしめ、前記届出をした預金者らに本人確認カードとして１枚及び複数枚発行し、前記１枚及び複数枚の本人確認カードは既に発行済みの払出しキャッシュカードと連動させるか、あるいは前記本人確認カードと連動するキャッシュカードを新規に発行せしめると共に、前記現金自動預払機又は現金自動支払機のカード挿入口に、前記複数枚の本人確認カードを一枚宛挿入し、前記金融機関に届出済みの暗証言語を数列で打込み、前記金融機関に届出済みの暗証言語を前記現金自動預払機又は現金自動支払機の照合装置を介して照合し、不一致のときは画面に不一致表示がなされて前記本人確認カードが返却され、前記照合が合致すると画面にＯＫ表示がなされて前記本人確認カードが一枚宛返却されると共に、継続して前記カード挿入口に払出しキャッシュカードを挿入し、前記払出しキャッシュカードと本人確認カードが不一致のときは前記キャッシュカードが返却され、合致すると所定の払出し金額を前記現金自動預払機又は現金自動支払機に打込み現金の払出しを受け、払出し後は前記払出しキャッシュカードを前記カード挿入口より返却せしめる現金払出し方法なので、他人による払出しを未然に防止し、セキュリティを著しく高める利点がある。
【００３０】
請求項６〜８記載の本人確認情報システム及び現金払出し装置並びに払出し方法は、前記暗証言語を、片仮名文字もしくは平仮名もしくは漢字とし、それを数列として打込むので、前記した請求項１〜５記載の発明と同じ効果がある。
【００３１】
請求項９〜１１記載の本人確認情報システム及び現金払出し装置並びに払出し方法は、前記暗証言語を、数字にて打込むので、前記した請求項１〜５記載の発明と同じ効果を有している。
【００３２】
請求項１２〜１４記載の本人確認情報システム及び現金払出し装置並びに払出し方法は、前記暗証言語をアナグラム化し、前記本人確認カードに記憶せしめたので、前記した請求項１〜１１記載の発明と同じ効果がある。
【発明を実施するための最良の形態】
【００３３】
本発明のカード等の本人確認情報システム及び現金払出し装置並びに払出し方法に関する請求項１〜１４に記載の発明の実施の形態は、共通しているので図面にもとづき一括して以下のとおり説明する。
【００３４】
本発明の請求項１記載のカード等の本人確認システムは、キャッシュカード、クレジットカード、パスワードあるいはＩＤカード等を介して現金の払出し、あるいはコンピューターの作動あるいは各種公的証明書類発行等の際に本人確認のために使用している複数桁数の数字からなる暗証番号に変えて、無数の言語の中から所定の言語を選択し、且前記所定の暗証言語とし、前記暗証言語をメールを打つ要領で数列として使用するものである。さらに請求項１記載の発明における公的証明書類発行機については、公知のものである。そのため図面は省略した。
【００３５】
また本発明の要部である無数の言語の中から所定の言語を選択し、且前記の所定の言語ａを暗証言語とすることは、請求項１〜１４記載の発明について共通している。その具体的内容は後述する。
【００３６】
図においてＡは金融機関等が発行した本人確認カードである。このカードＡは発行する前提として、預金者が預金口座を開設している金融機関等に、無数の言語の中から選択して所定の暗証言語ａとして届出する。前記暗証言語ａは、一例として、例えば「はなさいた」の５文字を選択できる。前記暗証言語ａは預金者が自分の好みに応じ無数の言語の中から自由に選択したものである。従って自分が気に入っている言語として、「さくらさく」、「ふるさと」、「こしひかり」…と預金者の意思を尊重し届出する。
【００３７】
さらに前記暗証言語ａは、５文字ではなく、小数文字数、多数文字数等を使用することも可能である。
【００３８】
また前記暗証言語ａは、片仮名、平仮名、もしくは漢字と平仮名と片仮名の組合せでも良い。
【００３９】
なお本発明の暗証言語aとして選択する言語を打込むには、現在携帯電話等で使用されている「１」はあ行の「あ」を、「２」はか行の「か」を、「３」はさ行の「さ」…「９」はら行の「ら」を、「０」は「わをん」を表示するダイヤルキーの操作と基本的には変らない。
【００４０】
従って本発明において使用する暗証言語ａは数列化して暗証番号となっているので、従来のカード類に使用されてきた暗証番号と同様である。
【００４１】
本発明は前記暗証言語ａを預金者らが金融機関に届出したら、前記金融機関は記憶装置（市販されているもので十分足りる。）に記憶せしめる。
【００４２】
前記のように暗証言語ａの届出があると、金融機関は速やかに前記届出預金者に本人確認カードＡを発行する。その際前記本人確認カードＡには、届出した預金者の暗証言語ａがアナグラム化して数字に変換をしたものが記憶せしめてある。
【００４３】
前記本人確認カードＡは、従来の銀行カードのように所定銀行がはっきり提示（プリント）されたものでなく、何のカードかを判りにくくする。
【００４４】
前記本人確認カードＡの形状は、通常従来金融機関が発行しているキャッシュカードと同じ大きさとする。その結果、現在稼働中のＡＴＭ機Ｃ又はＣＤ機に設置されているカード挿入口１が使用できるので、改造のための設備費はかからない。ただし本発明は前記本人確認カードＡのための判読コンピューター（ＩＣチップ又は基盤）を増設しなければならない。
【００４５】
さらに本発明の暗証言語ａは、ＡＴＭ機Ｃ又はＣＤ機のタッチパネル２を介して打込む。今日携帯電話やマイコン等の普及によって、メールを打つことに躊躇しない人が増加しているので、メールを打つような感じで暗証番号に変えて使用しても操作に違和感はない。
【００４６】
従来４文字程度と少ない数字記号を暗証番号として使用してきたが、本発明の暗証言語ａは４文字以上の言語の使用が可能なので、桁数も４文字よりも多くなって、ハッカーが解読しにくくなる利点がある。
【００４７】
本発明の本人確認カードＡにおいて使用する暗証言語ａは、１０万桁に及ぶ数字がランダムに並んでいる数字の中にある。
【００４８】
なお、図５の「ＡＴＧＣ」も数字に置換えられる。
【００４９】
前記キャッシュカードＢは、現在銀行等の金融機関が発行しているカードである。またキャッシュカードＢがないときは新規に発行する。
【００５０】
本発明は、前記した本人確認カードＡとキャッシュカードＢとをダブルに使用して、預金を払出すようにしたので、どの１枚のカードの盗難や落したりしても、預金の払出しがされない。さらにハッカーによって見破られることが極めて少なくなり、前記両カードＡ、Ｂのどちらか一枚では用をたさないので、犯罪防止に寄与する利点がある。
【００５１】
本発明においては、本人確認カードＡとキャッシュカードＢは、銀行カードであると見破られないように、種々のデザインを施したり、あるいは白い厚手の紙のように、紙の間に読取りデータ部分をサンドイッチし、外部から見えないようにする。
【００５２】
さらに本発明は、前記した本人確認カードＡとキャッシュカードＢとの２枚をセットにして使用する機構なので、既設のＡＴＭ機ＣもしくはＣＤ機の構造を若干変更させるだけである。従って改良費は安価である。
【００５３】
また本発明は、本人確認カードＡ、ＤとキャッシュカードＢは、別々の個所（胸ポケットと他のポケット）にして保管すれば、被害は激減できる。
【００５４】
従来のキャッシュカードは、本人を確認するために４桁の数字を暗証番号として使用してきた。しかし従来の方法では、人間の記憶の平均範囲は７つといわれていることから考えると、（１）よく似た(類似性)ものが混同すると、（２）高齢化等により記憶の範囲が極端に減少する。そのため、４桁程度の数字さえ間違ってしまう。
【００５５】
さらに数字の並びは、まさに類似性そのものの典型である。
【００５６】
しかるに、これを言語に変えると言語には、固有性・連続性・想像性・親密性があり、これらの要素が、個人の性格や、人生観・人生そのものにより、独自性となって現われる。これは個人に特に印象化され、記憶に止まっているものであり、これを暗証番号(パスワードを数字に置き換える)とし、数字の羅列(森の中)に暗証番号(木)を隠すことにより、ハッカーの読取りを困難にできる。
【００５７】
さらに言語として考えたとき、図１のように置き換え等さまざまな暗号（アナグラム）化が可能である。
【００５８】
また上記の方法をダブルカードの併用により、様々な利用範囲に対応できる。
【００５９】
さらに本発明は、指紋やその他の身体の特徴を利用するものはないため、抵抗がなく、しかも代理による預金払出し等が可能であり、従来の方法と差異はない。
【００６０】
本発明は、現在直面している危機を打開するため、本人確認情報のシステムとキャッシュカード・クレジットカードなどに着目し創作をした。
【００６１】
つぎに本発明の特長である前記した本人確認カードＡとキャッシュカードＢとをセットに使用して現金を払出すには、下記のような手順とする。
【００６２】
先ず前記ＡＴＭ機Ｃのカード挿入口１に前記本人確認カードＡを挿入してやる。挿入されると、金融機関に届出している暗証言語ａが、例えば「はなさいた」の場合には、前記ＡＴＭ機Ｃの表示部３に表示の数字を使用して、「は」に該当する「６」を、「な」に該当する「５」を、「に」に該当する「３」を、「い」に該当する「１、１」を、最後に「た」に該当する「４」を夫々打込んでやる。その結果照合装置５によって照合される。その結果、ＮＯと表示された場合前記本人確認カードＡは返却される。
【００６３】
他方前記の照合装置５にもとづき照合した結果ＯＫのときは、表示部３に「ＯＫ表示」が表示され前記本人確認カードＡが返却される。前記カードＡが返却されるとキャッシュカードＢの挿入指示がなされる。前記指示に従って２枚目のキャッシュカードＢを前記本人確認カードＡのカード挿入口１から挿入する。挿入すると前記キャッシュカードＢは、本人確認カードＡとの間に連動するシステムとなっている。例えば本人確認カードＡの使用回数とキャッシュカードＢの使用回数が同一か否か等によって、キャッシュカードＢが使用できるか、否かをＡＴＭ機に内蔵されている識別装置６によって識別させる。そして両カードＡ、Ｂが合致したときは「ＯＫ表示」となり、タッチパネル２の表示部３に表示の数字を介して所定の「金額」を打込んでやる。そして現金が払出されてキャッシュカードＢが排出される。その際利用明細票発行の有無が表示され、希望によって前記明細票の発行がなされる。この点は従来のシステムと同じ機構である。
【００６４】
さらに本発明は、前記した本人確認カードＡの外に、前記カードＡと別個の１枚乃至２枚以上の本人確認カードＤ…を前記キャッシュカードＢと併せて使用できる。
【００６５】
前記した２枚目の本人確認カードＤは、１枚目の本人確認カードＡと同じく金融機関等に、預金者が無数の言語の中から選択して所定の暗証言語として届出する。この暗証言語は本人確認カードＡの発行時に預金者が前記金融機関等に届出したものと同一もしくは別個の暗証言語を選択する。前記のように暗証言語が確定したら前記金融機関に届出し２枚目の本人確認カードＤを発行して貰う。さらに３枚目の本人確認カードを発行して貰うときも、前記の本人確認カードの届出と同じ処理工程を施すこととする。
【００６６】
前記のように本人確認カードＡ、Ｄ…が複数枚発行することになれば、カードの内１枚が万一盗難にあったり、拾われても、預金の払出しが受けられないし、暗証言語が容易に見抜けないので、ＡＴＭ機Ｃ等が識別不可能として現金は払出されない。そのためセキュリティがより一層強化され、金融機関も預金者らもメリットが著しく大である。
【００６７】
さらに２枚目以降の本人確認カードＤ…をＡＴＭ機Ｃのカード挿入口１に挿入して現金を払出すときの操作手順は、図８のフローチャート図のとおりである。
【００６８】
即ち１枚目の本人確認カードＡをＡＴＭ機Ｃのカード挿入口１に挿入し金融機関である銀行に届出済みの暗証言語ａが数列化された数字を打込む。その結果金融機関サイドの照合装置によって照合がなされ、一致すればＯＫ表示、不一致ならば不一致である旨の表示がなされ、前記挿入の本人確認カードＡが返却される。
【００６９】
次に前記の一致のＯＫ表示後一枚目のカードＡが返却されたら、前記ＡＴＭ機Ｃのカード挿入口１に２枚目の本人確認カードを挿入し、金融機関に届出済みの暗証言語を数列化されている数字を打込む。その結果前記と同様の照合装置によって照合し、一致すればＯＫ表示なりが表示され、２枚目の前記挿入の本人確認カードが返却される。
【００７０】
次に金融機関等から発行されているキャッシュカードＢを前記ＡＴＭ機のカード挿入口１に挿入する。前記挿入がなされると、前記本人確認カードＡ、Ｄ…と連動しているか否かが識別され、連動すれば、所定の金額を打込み現金の払出しを受ける。そしてキャッシュカードＢは返却される。
【００７１】
しかし連動不可能のときは、前記キャッシュカードＢは返却され現金の払出しが拒絶される。
【００７２】
前記のように本人確認カードを複数枚使用すればする程、現金の払出しが厳しくなり、預金者も金融機関も被害が極めて減少する。
【００７３】
さらに本発明は、本人確認カードＡを単体で使用するだけで、被害を著減できるが、さらに前記のように本人確認カードを２枚以上にすればする程、現金を払出すのに暗証言語が複雑となり、同時に全てのカードが紛失される確率が少なくなり、第３者による預金の払出しが不可能に近い確率で防止できる。
【図面の簡単な説明】
【００７４】
【図１】本発明のカード等の本人確認情報システム及び預金払出し装置並びに払出し方法において本人を確認するため使用する選択した暗証言語のアナグラムの実施の一例を示す図である。
【００７５】
【図２】同発明において使用する本人確認カードの正面図である。
【００７６】
【図３】同発明において使用する発行済みのキャッシュカードの正面図である。
【００７７】
【図４】同本人確認カードとキャッシュカードを使用して現金を払出すチャート図である。
【００７８】
【図５】同本人確認カードにおいて本人であることを証する手法として、数字の羅列の中に、暗証言語の必要数字（情報）を隠し、前記必要情報の配置をランダムに表示したアナグラムの実施の２例を示す図である。
【００７９】
【図６】同ＡＴＭ機の斜視図である。
【００８０】
【図７】２枚目の本人確認カードの正面図である。
【００８１】
【図８】本人確認カードを２枚とキャッシュカード１枚とを使用して現金を払出すときのチャート図である。
【符号の説明】
【００８２】
Ａ      本人確認カード
Ｂ      キャッシュカード
Ｃ      ＡＴＭ機
Ｄ      本人確認カード
ａ      暗証言語  
１      カード挿入口
２      タッチパネル
３      表示部
４      払出し口
５      照合装置
６      識別装置
【図１】
2006343788.tif 000003
【図２】
2006343788.tif 000004
【図３】
2006343788.tif 000005
【図４】
2006343788.tif 000006
【図５】
2006343788.tif 000007
【図６】
2006343788.tif 000008
【図７】
2006343788.tif 000009
【図８】
2006343788.tif 000010